(57)【要約】【課題】強度を確保しつつ、製造コストの低減を実現できる技術を提供する。【解決手段】ビデオカメラ１の本体部２は、メインフレーム２０を備えている。メインフレーム２０は上壁２０１と下壁２０２と後壁２０３とを有している。上壁２０１は、下壁２０２と対向するように配置された上壁本体２０１ｄと、上壁本体２０１ｄから下壁２０２と反対側に突出する突起２０１ａと、を有している。後壁２０３は、上壁２０１および下壁２０２と一体形成されており、上壁２０１と下壁２０２とを連結している。【選択図】図３
2010206601.tif 000002
【特許請求の範囲】
【請求項１】
第１プレートと、
前記第１プレートと第１方向に対向するように配置された第２プレート本体と、前記第２プレート本体の第１端部から前記第１プレートと反対側に突出し前記第１端部に沿って延びる第１突出部と、を有する第２プレートと、
前記第１プレート及び前記第２プレートと一体形成され前記第１プレートを前記第２プレートに連結する第３プレートと、
を備えた撮像装置の筐体。
【請求項２】
前記第１プレート及び前記第２プレートの側方に配置され前記第１突出部と接触する第１パネル部材を備える
請求項１に記載の撮像装置の筐体。
【請求項３】
前記第１突出部は、前記第１パネル部材に沿って延びる形状である
請求項２に記載の撮像装置の筐体。
【請求項４】
前記第１突出部と前記第１パネル部材との間に配置され前記第１突出部及び前記第１パネル部材と接触するシール部材を備える
請求項２または３に記載の撮像装置の筐体。
【請求項５】
前記第１パネル部材は、前記第１突出部に向かって突出し前記第１突出部と接触する少なくとも１つの突起を有する
請求項２〜４のいずれか１項に記載の撮像装置の筐体。
【請求項６】
前記突起は、前記第２プレートに沿って延びる形状である
請求項５に記載の撮像装置の筐体。
【請求項７】
前記第１突出部は、前記第１パネル部材と嵌合するようになっている
請求項２〜６のいずれか１項に記載の撮像装置の筐体。
【請求項８】
前記第２プレートの前記第１プレートと反対側に配置されるカバー部材をさらに備える
請求項１〜７のいずれか１項に記載の撮像装置の筐体。
【請求項９】
前記カバー部材は、前記第１突出部と前記第１パネル部材との接触箇所を覆っている
請求項８のいずれか１項に記載の撮像装置の筐体。
【請求項１０】
前記第１〜第３プレートと一体形成され、前記第３プレートと対向するように配置され、前記第１プレートを前記第２プレートに連結する第４プレートをさらに備える
請求項１〜９のいずれか１項に記載の撮像装置の筐体。
【請求項１１】
前記第２プレートは、前記第２プレート本体の前記第１端部と反対側に配置された第２端部から前記第１プレートと反対側に突出し前記第２端部に沿って延びる第２突出部を有する
請求項１から１０のいずれか１項に記載の撮像装置の筐体。
【請求項１２】
前記第１プレート及び前記第２プレートの側方に配置され前記第２突出部と接触する第２パネル部材をさらに備えた
請求項１１に記載の撮像装置の筐体。
【発明の詳細な説明】
【技術分野】
【０００１】
技術分野は、撮像装置の筐体に関する。
【背景技術】
【０００２】
従来、撮像装置の筐体として、複数の金属性のパネルを備えるものが提案されている。
例えば特許文献１には、鋼板の外面に塩化ビニルを張りつけた塩化ビニル鋼板を折り曲げることで形成された上ケース及び下ケース、並びに鋼板を折り曲げることで形成されたシャーシ等を備えるビデオカメラが記載されている。
【特許文献１】特開平６−７８１９１号公報
【発明の開示】
【発明が解決しようとする課題】
【０００３】
しかし、特許文献１では鋼板を折り曲げることで各部品が形成されているため、筐体の強度を確保するのが困難である。筐体の強度を確保するために部品の板厚を厚くすることが考えられるが、この場合、効率よく強度アップを図ることができず、筐体全体の重量が必要以上に増大してしまう。したがって、板厚を厚くするのは現実的ではない。
そこで、強度や重量を考慮して、近年では筐体の各部品を鋳造で成形する製造方法が採用されている。鋳造であれば、強度を考慮して必要な部分にリブを設けることができ、必要な強度を確保することができる。
しかし、鋳造では鋳型が用いられるため、鋳型の取り外しを考慮する必要があり、その結果、部品数が増大してしまう。部品数が増大すると組み立て作業の工数が増えるため、製造コストが増大する。
【０００４】
本発明の課題は、強度を確保しつつ製造コストの低減を実現できる技術を提供することにある。
【課題を解決するための手段】
【０００５】
本発明に係る撮像装置の筐体では、第１プレートと第２プレートと第３プレートとを備えている。第２プレートは第２プレート本体と第１突出部とを有している。第２プレート本体は第１プレートと第１方向に対向するように配置されている。第１突出部は、第２プレート本体の第１端部から第１プレートと反対側に突出しており、第１端部に沿って延びている。第３プレートは、第１プレート及び第２プレートと一体形成されており、第１プレートを第２プレートに連結している。
この筐体では、第２プレートが第２プレート本体と第１突出部とを有している。第１突出部は、第２プレート本体の第１端部から第１プレートと反対側に突出しており、第１端部に沿って延びている。第１突出部により、第２プレートの断面係数が増加するため、第２プレートの強度を確保しやすくなる。つまり、第１突出部を設けることで、強度を確保することができる。
【０００６】
さらに、第１突出部を設けることで、第２プレートの強度を確保のために第１プレート側に突出する部分を第２プレートに多く設ける必要がなくなり、第２プレートの第１プレート側の形状を簡素化することができる。これにより、第１プレート、第２プレート及び第３プレートを一体成形する際に、成形用の型を第１プレート及び第２プレートの間の空間から抜くことができ、第１プレート、第２プレート及び第３プレートの一体形成を実現できる。つまり、この筐体では、組み立て作業の工数を削減でき、製造コストの低減が可能となる。
以上に説明した撮像装置の筐体であれば、強度を確保しつつ製造コストの低減を実現できる。
なお、第１プレートの第２プレート本体、第２プレート及び第３プレートは、完全なプレート状の部材でなくてもよく、例えば、一体成型に支障がない程度に突起あるいは孔が設けられていてもよい。
【発明の効果】
【０００７】
以上に説明した撮像装置の筐体であれば、強度を確保しつつ製造コストの低減を実現できる。
【発明を実施するための最良の形態】
【０００８】
〔１〕第１実施形態
第１実施形態について、図面を参照して説明する。
（1-1）ビデオカメラ全体の構造
図１及び図２は、本実施形態のビデオカメラ１の外観を示す斜視図であり、図１はビデオカメラ１の前面、左面、及び上面を示し、図２はビデオカメラ１の背面、下面、及び右面を示す。
なお、本明細書において、「前」、「後」、「上」、「下」、「右」、「左」、「横」等の方向を示す用語は、ビデオカメラ１の通常の使用時において、使用者、つまりファインダー３２を覗く人から見た方向を指す。各図中に、横（左右）方向をｘ軸方向、前後方向をｙ軸方向、上下方向をｚ軸方向として矢印で示す。
【０００９】
図１及び図２に示すように、ビデオカメラ（撮像装置）１は、本体部（筐体）２、ファインダー部３、及びレンズ部４を備える。
図１及び図２に示すように、本体部２は、全体として略直方体形状である。本体部２は、メインフレーム２０；メインフレーム２０の前面に配置されたフロントパネル２１；メインフレーム２０の後下に配置されたジャックパネル２２；メインフレーム２０の左側に配置された左サイドパネル（第１パネル部材）２３１；メインフレーム２０の右側に配置された右サイドパネル（第２パネル部材）２３２；メインフレーム２０の上面に配置されたトップカバー（カバー部材）２４、ハンドル部２５、及びレシーバーカバー２６；並びにメインフレーム２０下面に配置されたボトムパネル２７等を備える。本体部２の構造の詳細については図３等を参照して後述する。
【００１０】
図１及び図２に示すように、ファインダー部３は筒体３１と、筒体３１の一方の端部に設けられたファインダー３２とを備える。ファインダー部３は、ファインダー３２が本体部２の左側に位置するように、ハンドル部２５の前面に固定される。ファインダー部３は、ハンドル部２５に対して、ｘ軸方向における相対的な位置を変更できるように固定されるので、ユーザは、自分の眼の位置に合わせて、ファインダー３２の位置調整を行うことができる。
図１及び図２に示すように、レンズ部４は、フィルターやレンズ等を備える筒状の部材であり、フロントパネル２１に着脱可能に固定されるようになっている。ユーザは撮影対象や撮影条件等に合わせてレンズ部４を交換することができる。
ユーザは、ビデオカメラ１の使用時には、ハンドル部２５を握って、ビデオカメラ１を持ち上げる。そして、ユーザは、ボトムパネル２７が肩に当たるようにビデオカメラ１を肩に乗せ、ファインダー３２を覗いて撮影を行う。
【００１１】
なお、ビデオカメラ１は、図示しないレンズ等の光学部材、撮像素子、制御装置（ＣＰＵ，ＲＡＭ，ＲＯＭ等）等、撮像に使われる種々の部材を備える。
（1-2）本体部２の構造
図３〜図９を参照して、本体部２の構成の詳細を説明する。
図３は本体部２の構造を示す分解斜視図であり、図４はメインフレーム２０を前上方から、図５はメインフレーム２０を後下方から見た外観を示す斜視図であり、図６はトップカバー２４の下面図であり、図７は本体部２の一部のＡ−Ａ矢視断面図であり、図８は図７の一部を拡大した図面である。なお、図８には左サイドパネル２３１のみが示されているが、右サイドパネル２３２も同様の構成を有する。
図３に示すように、メインフレーム２０は、上壁（第１プレート）２０１、下壁（第２プレート）２０２、後壁（第３または第４プレート）２０３、前壁（第３または第４プレート）２０４の４つの壁を備える。これら４つの壁は、上壁２０１と下壁２０２とがｚ軸方向（第1方向）に向かい合うように配置され、後壁２０３及び前壁２０４がｙ軸方向に向かい合うように配置されている。つまり、４つの壁２０１〜２０４は、一方の面を内側に向けて、全体として略矩形をなすように配置されている。後壁２０３および前壁２０４はｙ軸方向に互いに対向するように配置された壁２０１および下壁２０２を連結している。
【００１２】
図４及び図５に示すように、上壁２０１、下壁２０２、後壁２０３、前壁２０４の２つの面のうち、メインフレーム２０の矩形状の外側を向く面を外面として、それぞれ符号２０１１、２０２１、２０３１、２０４１を付し、内側を向く面を内面として、それぞれ符号２０１２、２０２２、２０３２、２０４２を付す。外面２０１１は上壁２０１の上面、内面２０１２は上壁２０１の下面、外面２０２１は下壁２０２の下面、内面２０２２は下壁２０２の上面、外面２０３１は後壁２０３の後面、内面２０３２は後壁２０３の前面、外面２０４１は前壁２０４の前面、内面２０４２は前壁２０４の後面に該当する。
なお、上壁２０１及び下壁２０２は、その前端が前壁２０４よりも前方に突出しているが、上壁２０１の下面のうち前壁２０４より前方の領域及び下壁２０２の上面のうち前壁２０４より前方の領域についても、それぞれ内面２０１２及び２０２２と呼ぶ。
【００１３】
また、メインフレーム２０は、全体が一体として形成されている。メインフレーム２０の材料は特に限定されないが、例えばマグネシウム合金や、アルミ合金等の金属が好ましく用いられる。また、後述するように、メインフレーム２０は、厚みが互いに異なる部分（例えばボスやリブ等の凹凸）を含む。そのため、製造方法としては鋳造、特にダイカスト成形が好適に適用される。
本実施形態のメインフレーム２０は、上、下、後、左、右の５方向にそれぞれ引き抜かれる５つの鋳型により成形可能である。このような製造方法を可能にするため、全ての内面２０１２、２０２２、２０３２、及び２０４２、並びに前壁２０４の外面２０４１の構造は、左右方向（ｘ軸方向）に鋳型を引き抜くことができるような形状に形成されている。具体的には、上壁の内面２０１２及び下壁の内面２０２２は、ｚ−ｘ平面に平行な断面において、凹部が生じないように形成されている。また、後壁の内面２０３２及び前壁の両面２０４１及び２０４２には、ｘ−ｙ平面に平行な断面において、凹部が生じないように形成されている。この凹部とは、ｘ軸方向において対向する２つの面（曲面を含む）を有する構造である。つまり、ｘ軸方向において非連続な２つの突起の間も、凹部であるといえる。
【００１４】
その一方で、４つの壁２０１〜２０３の外面２０１１、２０２１、及び２０３１には、ｚ−ｘ平面やｘ−ｙ平面に平行な断面において凹部が形成されていてもよい。そのため、これらの外面は、外面から内面側に向かって凹むビス孔や、ボスやリブ等の突起がｘ軸方向において２つ以上並んだ形状や、矩形や格子形等の閉じた形状のリブ等、種々の形状を採ることができる。内面及び外面の具体的な形状については後述する。
このような形状であることで、メインフレーム２０は、ダイカスト成形等を始めとする種々の鋳造方法で一体として形成可能である。このように一体形成されることによって、部品数が低減され、製造工程の短縮、製造コストの低減が見込まれる。
上壁２０１の外面２０１１は、上方向に引き抜かれる鋳型によって形成可能なので、ｚ−ｘ平面における凹部が形成されていてもよい。そのため、１対の突起２０１ａ（第１突出部）、複数のリブ（例えばリブ２０１ｂ）、及び複数のボス（例えばボス２０１ｃ）等が形成されている（図４）。
【００１５】
図４及び図７に示すように、突起２０１ａは、サイドパネル２３１及び２３２と接触する第１突出部及び第２突出部の一例である。突起２０１ａは、トップカバー２４のｘ軸方向における両縁（ｙ軸方向に延びる縁）に沿って連続して形成され、上壁本体（第２プレート本体）２０１ｄから上方向（下壁２０２と反対側）に突出する形状である。上壁本体２０１ｄは下壁２０２とｙ軸方向に対向するように配置されている。
また、外面２０１１上には、上述したように、突起２０１ａ以外にも、ボスやリブ等の突起が形成されている。その結果、図７に示すように、ｘ軸方向において並べられた複数の突起が形成されている。つまり、外面２０１１には、ｘ−ｚ平面に平行な断面において凹部が形成されている。また、外面２０１１上のボス（例えばボス２０１ｃ）には、上下方向からビスが差し込まれるビス孔が設けられており、これもｘ−ｚ平面に平行な断面における凹部に該当する。そのビス孔と、トップカバー２４、ハンドル部２５、及びレシーバーカバー２６等の部材に設けられたビス孔と、にビスが嵌ることによって、これらの部材（２４、２５、２６）がメインフレーム２０に固定される。
【００１６】
一方、図５及び図７に示すように、上壁２０１の内面２０１２には、ｘ軸方向における略中央に、ｙ軸方向に沿って延びるリブ２０１ｆが形成されている。また、内面２０１２にも、サイドパネル２３１及び２３２等の部材の締結に用いられる複数のボス（例えば２０１ｅ）が形成されているが、これらのボスは、全て内面２０１２の面に沿ってｘ軸方向に延びる形状であり、ビス孔も、ビスがｘ軸方向から差し込まれる形状となっている。
下壁２０２の外面２０２１は、下方に引き抜かれる鋳型によって形成可能である。そのため、下壁２０２の外面２０２１は、上壁の外面２０１１と同様に、複数のリブ（例えばリブ２０２ｂ）や、ｚ軸方向に延びるビス孔を有する複数のボス（例えばボス２０２ｃ）等を備えてもよく、さらにこれの構造はｘ軸方向に並べて配置されていてもよい（図５）。下壁２０２に設けられたボスやビス孔は、ボトムパネル２７のメインフレーム２０への固定に用いられる（図３）。
【００１７】
下壁２０２の内面２０２２は、上壁の内面２０１２と同様に、ｘ軸方向における略中央に、ｙ軸方向に沿って延びるリブ２０２ｆを備える。また、内面２０２２には、サイドパネル２３１及び２３２等の部材の締結に用いられる複数のボス（例えば２０２ｅ）が形成されているが、これらのボスは、全て内面２０２２の面に沿ってｘ軸方向に延びる形状であり、ビス孔も、ビスがｘ軸方向から差し込まれる形状となっている。
後壁２０３の外面２０３１は、後方に引き抜かれる鋳型によって形成可能である。そのため、後壁２０３の外面２０３１は、ｙ方向に延びるビス孔を有する複数のボス（例えばボス２０３ｃ）や、その他の突起等を備えてもよく、さらにこれらはｘ軸方向において並べて配置されていてもよい（図５）。
後壁２０３の内面２０３２は、突出構造２０３ｆやボス２０３ｅ等を備える（図４）。後壁２０３の内面２０３２は、上述したように、左右方向に引き抜かれる鋳型によって形成されるので、後壁２０３の内面２０３２と下壁２０２の内面２０２２とのなす角部分に形成されたボス２０３ｇのように、他の壁の内面まで連続して形成された構造を有する（図４）。後壁２０３の内面２０３２上の突起のｚ軸方向における縁の輪郭は、ｘ軸方向に平行になっている。
【００１８】
前壁２０４の外面２０４１は、ｘ軸方向における略中央に、ｚ軸方向に平行なリブ２０４ｂが形成され（図４）、内面２０４２には、上壁の内面２０１２から連続するリブ２０１ｆが形成されている（図５）。
次に、フロントパネル２１等の本体部２を構成する他の部材について説明する。
図３に示すように、フロントパネル２１は、レンズ取り付け部２１ａを備える。また、上壁２０１及び下壁２０２の前端に固定されるように、ビス孔等を備える。
また、図２及び図３に示すように、ジャックパネル２２は、ビデオカメラ１と外部の装置とを繋ぐケーブルの差し込み口を備える。また、ジャックパネル２２は、後壁２０３の下部に固定されるように、ビス孔等を備える。
また、図３に示すように、サイドパネル２３１及び２３２は、ビス孔等を備える板状の部材である。サイドパネル２３１及び２３２も、メインフレーム２０と同様に、マグネシウム合金や、アルミ合金等の金属により形成される。サイドパネル２３１及び２３２の形成方法は特に限定されるものではないが、メインフレーム２０と同様に、ダイカスト成形を用いることができる。これらのサイドパネル２３１及び２３２のビス孔と、上壁の内面２０１２、下壁の内面２０２２、及び後壁の内面２０３２に設けられたボス２０１ｅ、２０２ｅ、及び２０３ｅ等の、メインフレーム２０にｘ軸方向に延びるように設けられたビス孔とが、ビスによって締結されることで、サイドパネル２３１及び２３２が、メインフレーム２０の左側及び右側を覆うように固定される。
【００１９】
また、トップカバー２４を構成する材料としては、種々の合成樹脂を用いることができ、具体的には、ポリカーボネートとＡＢＳ樹脂との混合樹脂を好適に用いることができる。図３及び図６に示すように、トップカバー２４は、前端と後端とに、それぞれ前後方向に延びる突出部分２４ａ及び２４ｂを有する略Ｈ形状の板状部材である。トップカバー２４の上面（メインフレーム２０との対向面とは逆の面）はほぼ平らな形状である。また、トップカバー２４には、メインフレーム２０への固定に用いられるビス孔が複数設けられている（例えばビス孔２４ｃ）。トップカバー２４のビス孔と、メインフレーム２０の上壁の外面２０１１に設けられたボス２０１ｃ等とにビスが通ることで、トップカバー２４がメインフレーム２０に固定される。
トップカバー２４は、上壁２０１の外面２０１１上のリブ等の凹凸を覆うことで、ビデオカメラ１の外形を平滑なものとすることができる。言い換えると、トップカバー２４が設けられることで、上壁２０１の外面２０１１上のリブを設けることができるので、ビデオカメラ１の軽量化及び材料量の低減を図ることができる。また、上壁２０１の外面２０１１上のリブを設けることができるので、上壁２０１の下壁２０２側に補強用のリブが少なくても、メインフレーム２０の強度を確保することができる。
【００２０】
また、トップカバー２４が、外面２０１１のうちの広い範囲を覆うことで、塗装面積が小さくなり、ビデオカメラ１の製造工程を簡略化することができる。
図６〜図８に示すように、トップカバー２４の縁（特にｘ軸方向における縁）は、図中に突起２４ｇとして示すように、下方（メインフレーム２０側）に向けて突出した形状となっている。また、トップカバー２４の下面（メインフレーム２０との対向面）には、下方に向けて突出する突起２４ｆが形成されており、この突起２４ｆは、突起２４ｇに沿って、つまりトップカバー２４の縁に沿って、連続するように形成されている。言い換えると、トップカバー２４の下面には、その縁の近傍に、縁に沿って延びる溝が形成されている。
ハンドル部２５は、ビスによってメインフレーム２０の上壁の外面２０１１に固定されるようになっている。ハンドル部２５は、略Ｕ字形状の部材であって、その両端がそれぞれ、トップカバー２４の突出部分２４ａ間及び突出部分２４ｂ間で、メインフレーム２０に接するように固定される。
【００２１】
レシーバーカバー２６は、図３に示すように、ビス孔を有しており、ハンドル部２５の後方で、ビスにより、メインフレーム２０の上壁の外面２０１１に固定されるようになっている。
ボトムパネル２７は、上方に向かって湾曲する板状の部材である。ボトムパネル２７のビス孔と、メインフレーム２０の下壁の外面２０２１に設けられたボス２０２ｃのビス孔と、にビスが通ることによって、ボトムパネル２７はメインフレーム２０の下面に固定される。
次に、メインフレーム２０、トップカバー２４、サイドパネル２３１及びサイドパネル２３２の接合部分について説明する。
図７に示すように、メインフレーム２０の上壁２０１の突起２０１ａは、サイドパネル２３１及び２３２がメインフレーム２０に固定された状態において、サイドパネル２３１及び２３２に接触するようになっている。より具体的には、図７及び図８に示すように、サイドパネル２３１及び２３２の縁に、上壁２０１に向けて突出する２つの突起２３３が形成されている。２つの突起２３３は、２つの突起２３３は、サイドパネル２３１及び２３２の縁に沿って連続するように、かつｚ軸方向において互いに平行に並ぶように形成されている。そして、メインフレーム２０の突起２０１ａは、サイドパネルの突起２３３の両方と接触するように、突起２３３に沿って形成されている。
【００２２】
図８に示すように、２つの突起２３３間には、シールドガスケット（シール部材）２９が設けられている。シールドガスケット２９は、サイドパネルの２つの突起２３３及びメインフレームの突起２０１ａに挟まれて保持される。シールドガスケット２９を介して、メインフレーム２０とサイドパネル２３１及び２３２とが繋がることによって、ビデオカメラ１の内部に金属で囲まれた空間が形成される。その結果、ビデオカメラ１の外部からの電磁波によるビデオカメラ１でのＥＭＩ（Electro magnetic interference）の発生、及びビデオカメラ１内部からの電磁波による外部装置でのＥＭＩの発生を防止することができる。
このように、メインフレーム２０とサイドパネル２３１及び２３２とでシールドガスケット２９を配置する場合、メインフレーム２０は、サイドパネル２３１及び２３２との接触面が、サイドパネル２３１及び２３２との間にシールドガスケット２９を保持できる程度の幅であることが要求される。本実施形態の構成によれば、突起２０１ａが形成されていることで、シールドガスケット２９を保持するのに充分な面積を確保すると共に、メインフレーム２０全体の厚みを抑えることができる。また、突起２０１ａは、上壁２０１の外面２０１１に設けられ、内面２０１２に設けられるわけではないので、製造過程で、横方向（ｘ軸方向）に引き抜く鋳型を用いることができ、メインフレーム２０を一体として形成することができる。
【００２３】
また、図８に示すように、メインフレームの突起２０１ａは、トップカバーの突起２４ｆと２４ｇとの間に嵌るようになっている。これによって、トップカバー２４のメインフレーム２０に対する位置が、ずれにくいという利点がある。
また、図８に示すように、サイドパネル２３１及び２３２の外面の縁は、周囲よりも凹んだ段構造２３４を有している。トップカバーの突起２４ｇは、この段構造２３４に嵌るようになっている。つまり、ｘ軸方向において、トップカバー２４の幅は、メインフレーム２０の上壁２０１の幅よりも広く設定されており、上壁２０１とサイドパネル２３１及び２３２との接合部分がトップカバー２４により覆われる。これによって、壁２０１とサイドパネル２３１及び２３２との接合部分が保護されるという利点がある。
なお、ここでは、上壁２０１とサイドパネル２３１及び２３２との接合について説明したが、メインフレーム２０の他の壁とサイドパネル２３１及び２３２との接合部分も、同様の構成とすることができる。つまり、他の壁も、突起２０１ａに相当する外側に突出する突起を備えていてもよく、サイドパネル２３１及び２３２との接合部分にシールドガスケットを保持するようになっていてもよい。
【００２４】
〔２〕第２実施形態
上述のシールドガスケット２９が配置される溝が設けられるのはサイドパネル２３１及び２３２に限らず、メインフレーム２０であってもよい。そのような構成の一例である第２実施形態について説明する。
第２実施形態のビデオカメラは、メインフレームの上壁２０１、サイドパネル２３１及び２３２の縁の構成が異なる以外は、第１実施形態のビデオカメラと同様の構成である。よって、同じ機能を有する部材については、同符号を付して、その説明を省略する。
図９に、第２実施形態におけるメインフレーム２０、トップカバー２４、サイドパネル２３１及び２３２の接合部分を示す断面図を示す。
図９に示すように、本実施形態では、メインフレーム２０は、突起２０１ａとサイドパネル２３１及び２３２との接触部分に、ｘ軸方向に突出する２つの突起２０１ｈを備える。突起２０１ｈは、ｚ軸方向において互いに平行に並んでおり、サイドパネル２３１及び２３２の縁に沿って、ｙ軸方向において連続して形成されている。この２つの突起２０１ｈに挟まれた部分は溝になっているので、本実施形態のメインフレーム２０の構成は、突起２０１ａの側面に、ｙ軸方向に沿って溝が形成されている、と言い換えることもできる。
【００２５】
サイドパネル２３１及び２３２の縁は平らであり、シールドガスケット２９は、２つの突起２０１ｈと、サイドパネル２３１又は２３２に挟まれることで、保持される。
〔３〕第３実施形態
サイドパネル２３１及び２３２と、メインフレーム２０の突起２０１ａとが、互いに嵌合形状になっていてもよい。そのような構成の一例である第３実施形態について説明する。
第３実施形態のビデオカメラは、メインフレームの上壁２０１及びサイドパネル２３１及び２３２の縁の構成が異なる以外は、第１実施形態のビデオカメラと同様の構成である。よって、同じ機能を有する部材については、同符号を付して、その説明を省略する。
図１０に、第３実施形態におけるメインフレーム２０、トップカバー２４、サイドパネル２３１及び２３２の接合部分を示す断面図を示す。
【００２６】
図１０に示すように、本実施形態では、メインフレーム２０は、第２実施形態と同じく、突起２０１ａとサイドパネル２３１及び２３２との接触部分に、ｘ軸方向に突出する２つの突起を備える（突起２０１ｉ）。突起２０１ｉは、ｚ軸方向において互いに平行に並んでおり、サイドパネル２３１及び２３２の縁に沿って、ｙ軸方向において連続して形成されている。この２つの突起２０１ｉに挟まれた部分は溝になっているので、本実施形態のメインフレーム２０の構成は、突起２０１ａの側面に、ｙ軸方向に沿って溝が形成されている、と言い換えることもできる。
サイドパネル２３１及び２３２の縁には、上壁２０１側に向けて突出する突起２３５が形成されており、この突起２３５が、上壁２０１の２つの突起２０１ｉ間に嵌るようになっている。突起２０１ｉがサイドパネル２３１と接触している状態で、突起２３５と突起２０１ａとの間、そして突起２３５と突起２０１ｉとの間には、わずかな隙間が形成されている。このような構造であっても、必要最低限のシール性を確保することができる。また、この構造によって、サイドパネル２３１及び２３２とメインフレーム２０との相対的な位置のずれが起きにくくなる。
【００２７】
〔４〕第４実施形態
サイドパネル２３１及び２３２とメインフレーム２０の突起２０１ａとが、互いに嵌合形状において、第３実施形態とは逆に、メインフレーム２０の縁が、サイドパネル２３１及び２３２に嵌るようになっていてもよい。そのような構成の一例である第４実施形態について説明する。
第４実施形態のビデオカメラは、メインフレームの上壁２０１、サイドパネル２３１及び２３２の縁の構成が異なる以外は、第１実施形態のビデオカメラと同様の構成である。よって、同じ機能を有する部材については、同符号を付して、その説明を省略する。
図１１に、第４実施形態におけるメインフレーム２０、トップカバー２４、サイドパネル２３１及び２３２の接合部分を示す断面図を示す。
【００２８】
図１１に示すように、本実施形態では、メインフレーム２０は、突起２０１ａとサイドパネル２３１及び２３２との接触部分に、ｘ軸方向に突出する突起を備える（突起２０１ｊ）。突起２０１ｊは、サイドパネル２３１及び２３２の縁に沿って、ｙ軸方向において連続して形成されている。
図１１に示すように、サイドパネル２３１及び２３２の縁には、第１実施形態と同様に、上壁２０１側に向けて突出する２つの突起２３７が形成されている。２つの突起２３７は、サイドパネル２３１及び２３２の縁に沿って連続するように、ｚ軸方向において互いに平行に形成されている。２つの突起２３７に挟まれた部分は溝になっているので、本実施形態のサイドパネル２３１及び２３２の構成は、メインフレーム２０との接触位置に、ｙ軸方向に沿って溝が形成されている構成である、と言い換えることもできる。
【００２９】
そして、メインフレーム２０の突起２０１ｊは、サイドパネルの突起２３７の間に嵌るようになっている。突起２３７が突起２０１ａと接触している状態で、突起２０１ｊとサイドパネル２３１との間、そして突起２０１ｊと突起２３７との間には、わずかな隙間が形成されている。このような構造であっても、必要最低限のシール性を確保することができる。また、この構造によって、サイドパネル２３１及び２３２とメインフレーム２０との相対的な位置のずれが起きにくくなる。
以上に述べたいずれの実施形態においても、メインフレーム２０は、一体形成が可能な形状である。
〔５〕他の実施形態
（5-1）第１実施形態では、後壁２０３及び前壁２０４は、第３壁（又は第４壁）の一例として、その内面２０３２及び２０４２が、上壁２０１の内面２０１２及び下壁２０２の内面２０２２と交差するように配置されている。特に、内面２０３２及び２０４２は互いに略平行に配置され、上壁２０１の内面２０１２及び下壁２０２の内面２０２２と、略直角を成すように交差しているが、メインフレーム２０の構成はこれに限定されるものではない。
【００３０】
すなわち、第１実施形態では、４つの壁が一体に形成されているものとしたが、少なくとも３つの壁が一体形成されていればよい。つまり、少なくとも向かい合う第１及び第２壁と、これらの壁間に配置された第３壁があればよい。
また、壁の交差角度は垂直に限らず、適宜変更が可能であるし、向かい合う２つの壁は平行からずれた位置に配置されていてもよい。
また、第１実施形態では、４つの壁２０１〜２０４により閉じた矩形が形成されるものとしたが、４つの壁を備える場合の他の形態として、いずれかの壁と壁との間、または１つの壁の中に、非連続な箇所があってもよい。
（5-2）突起２０１ａは、第１プレートに設けられる突起の一例として、第１プレートである上壁２０１の外面２０１１の面方向に、長く連続するように形成されているが、本発明はこれに限定されるものではない。
【００３１】
例えば、突起２０１ａに代えて、外面２０１１に、ｙ軸方向における長さの短い突起が設けられていてもよいし、複数のこのような突起がｙ軸方向に沿って並ぶように配置されていてもよい。
また、突起２０１ｈ、２０１ｉ、及び２０１ｊに代えて、ｙ軸方向における長さの短い突起が設けられていてもよいし、複数のこのような突起がｙ軸方向に沿って並ぶように配置されていてもよい。
また、突起２０１ａは、第１〜第４実施形態のように、シールドガスケットの保持や、サイドパネルとの嵌合に用いられたが、第１プレートに設けられる突起は、パネル部材の第１プレートに対する位置合わせなど、他の目的に使用されてもよい。
（5-4）サイドパネル２３１及び２３２は、第１〜第３壁に囲まれる領域を含む面を有する第１及び第２パネル部材の一例として、メインフレーム２０の左側及び右側をそれぞれ覆う形状となっている。特に、サイドパネル２３１及び２３２は、その縁部分でメインフレーム２０の上壁２０１と接触するようになっている。
【００３２】
ただし、メインフレーム２０の構成はこれに限定されるものではなく、このようなサイドパネル２３１及び２３２に代えて、組み立てた状態で、パネルの縁よりも中央寄りの部分でメインフレーム２０と接触する第１及び第２パネル部材を採用してもよい。このようなパネル部材として、例えば、図８、図１０、及び図１１に示す突起２３３、２３５、及び２３７が、パネルの縁以外の箇所に設けられたものが挙げられる。
また、サイドパネル２３１及び２３２の突起２３３、２３５、及び２３７についても、突起２０１ａと同様に、ｙ軸方向における長さの短い突起が設けられていてもよいし、複数のこのような突起がｙ軸方向に沿って並ぶように配置されていてもよい。
（5-5）１の実施形態中に示した選択肢を適宜組み合わせて得られる形態、及び異なる実施形態を適宜組み合わせて得られる形態についても、本発明の技術的範囲に含まれる。
【００３３】
〔６〕比較形態
図１２及び図１３を参照して、比較形態に係るビデオカメラの本体部５００について説明する。図１２は本体部５００の分解斜視図、図１３はｚ−ｘ平面に平行な断面における本体部５００の一部の断面図である。
図１２及び図１３に示すように、本体部５００は、フロントパネル５０１、ジャックパネル５０２、サイドパネル５０３ａ及び５０３ｂ、トップカバー５０４、ハンドルユニット５０５、ボトムパネル５０７を備えると共に、さらに、トップパネル５１０、トップフレーム５１１、ボトムフレーム５１２、ボトムケース５１３、バックパネル５１４、フロントフレーム５１５を備える。トップパネル５１０、トップフレーム５１１、ボトムフレーム５１２、ボトムケース５１３、バックパネル５１４、及びフロントフレーム５１５は、金属で構成され、別々に形成されて組み立てられる。なお、図１２では、サイドパネル５３１及び５３２を省略している。
【００３４】
図１２及び図１３に示すように、トップパネル５１０は、ｘ軸方向おける下面の両縁近傍に、下方に突出する突起５１０ａを備える。シールドガスケット５２９は、この突起５１０ａとサイドパネル５０３ａ及び５０３ｂとの間に挟まれて保持される。
このように、トップパネル５１０は、下面に、ｘ軸方向において並んだ２つの突起５１０ａを備える。それゆえ、トップパネル５１０は他の部材と一体形成することが難しい。
これに対して、上述のメインフレーム２０は、一体形されているので、部品数が少なく、製造コストを低減可能である。
また、トップカバー５０４は矩形状であるので、トップパネル５１１の上面のうち、トップカバー５０４で覆われない箇所の面積が、上述の各実施形態よりも広い。
これに対して、上述のトップカバー２４であれば、メインフレーム２０を覆う面積をより広くすることができ、塗装の工程を簡略化することができる。
【産業上の利用可能性】
【００３５】
本発明は、ビデオカメラ等の撮像装置に利用可能である。
【図面の簡単な説明】
【００３６】
【図１】本実施形態のビデオカメラ１の外観（前面、左面、及び上面）を示す斜視図
【図２】ビデオカメラ１の外観（背面、下面、及び右面）を示す斜視図
【図３】本体部２の構造を示す分解斜視図
【図４】メインフレーム２０を前上方から見た斜視図
【図５】メインフレーム２０を後下方から見た斜視図。
【図６】トップカバー２４の下面図
【図７】本体部２の一部のＡ−Ａ矢視断面図
【図８】図７の一部を拡大した図面
【図９】第２実施形態におけるメインフレーム２０、トップカバー２４、サイドパネル２３１及び２３２の接合部分を示す断面図
【図１０】第３実施形態におけるメインフレーム２０、トップカバー２４、サイドパネル２３１及び２３２の接合部分を示す断面図
【図１１】第４実施形態におけるメインフレーム２０、トップカバー２４、サイドパネル２３１及び２３２の接合部分を示す断面図
【図１２】比較形態における本体部５００の分解斜視図
【図１３】本体部５００の一部の断面図
【符号の説明】
【００３７】
１      ビデオカメラ（撮像装置）
２      本体部（筐体）
２０    メインフレーム
２０１    上壁（第１プレート）
２０２    下壁（第２プレート）
２０３    後壁（第３プレート、第４壁）
２０４    前壁（第３プレート、第４壁）
２０１ａ  上壁の突起（第１及び第２突出部）
２３１、２３２    サイドパネル（第１及び第２パネル部材）
２３３    サイドパネルの突起
２４  トップカバー（カバー部材）
２９    シールドガスケット（シール部材）
【図１】
2010206601.tif 000003
【図２】
2010206601.tif 000004
【図３】
2010206601.tif 000005
【図４】
2010206601.tif 000006
【図５】
2010206601.tif 000007
【図６】
2010206601.tif 000008
【図７】
2010206601.tif 000009
【図８】
2010206601.tif 000010
【図９】
2010206601.tif 000011
【図１０】
2010206601.tif 000012
【図１１】
2010206601.tif 000013
【図１２】
2010206601.tif 000014
【図１３】
2010206601.tif 000015